【事件の表示】
　平成３年特許願第２５４９６７号「テレビ信号送信装置」拒絶査定に対する審判事件（平成５年１２月２４日出願公開、特開平５−３４４４８２）について、次のとおり審決する。
【結論】
　本件審判の請求は、成り立たない。
【理由】
１、手続の経緯、本願発明の認定
　本願は、平成３年１０月２日（優先権主張　大韓民国　西暦１９９０年１１月９日）の出願であって、その発明は、補正された明細書及び図面の記載によれば
　映像信号を疑似ランダム化して本来の信号とは全く異なる形態で伝送し、受信側でそれを再び復元することにより、たとえ伝送途中ノイズが混入しても、ノイズを分散されることによりノイズの影響を減らすことの可能な映像データスプリット回路を備えたテレビ信号送信装置を提供する（明細書段落番号【０００５】・【００３７】記載から要約）
ことを目的・効果とし、
　その目的・効果を達成するため特許請求の範囲に記載された次のとおりの
「【請求項１】映像信号の伝送時に混入するノイズの除去が前記映像信号の受信時に可能なように前記映像信号を送信するテレビ信号送信装置において、
　前記映像信号を一時的に記憶する記憶手段と、
　クロックに同期して、値が順番に変化する第１アドレス値を発生する第１アドレス信号発生手段と、
　前記クロックに同期して、値が概ねランダムに変化する第２アドレス値を発生する第２アドレス信号発生手段と、
　前記第１アドレス値に従って、前記映像信号を前記記憶手段に書き込む書込み手段と、
　前記第２アドレス値に従って、前記書込み手段によって前記記憶手段に書き込まれた前記映像信号の各画素の並びに比し、前記映像信号の水平同期信号の周期に対応する１ライン分の映像信号の各画素の並びに渡って画素単位にシャフルが擬似ランダム的になされるように、前記記憶手段に書き込まれた前記映像信号を読み出す読出し手段と、
　前記記憶手段への書き込みと読み出しを排他的に実行するよう制御する制御手段と、
　前記制御手段による制御によって、前記記憶手段より読み出された前記映像信号を出力する出力手段とを有し、
　前記第１及び第２アドレス信号発生手段各々は、前記水平同期信号の周期で、発生する前記第１、第２アドレス値をリセットするとともに、前記１周期で前記第１アドレス信号発生手段が発生した値を全て、前記１周期で前記第２アドレス信号発生手段も発生することを特徴とするテレビ信号送信装置。（以下、本願請求項１構成という）
　【請求項２】前記記憶手段は、第１メモリと第２メモリとを含み、
　前記制御手段は、
　外部から入力される制御信号に従って、前記第１アドレス値、或いは、前記第２アドレス値を選択し、前記選択されたアドレス値を前記第１メモリヘのアクセスアドレス値とする第１選択手段と、前記制御信号の反転信号に従って、前記第１アドレス値、或いは、前記第２アドレス値を選択し、前記選択されたアドレス値を前記第２メモリヘのアクセスアドレス値とする第２選択手段とを有し、
　前記第１選択手段と前記第２選択手段のアドレス値選択は排他的であり、
　前記第１メモリは前記制御信号によって書込みと読出しとが切り替わり、
　前記第２メモリは前記制御信号の反転信号によって書込みと読出しとが切り替わることを特徴とする請求項第１項に記載のテレビ信号送信装置。
　【請求項３】前記映像信号をラッチして、前記第１及び第２メモリに供給するラッチ手段と、
　前記映像信号の読み出し元として前記第１或いは第２メモリを選択する第３選択手段とをさらに有することを特徴とする請求項第２項に記載のテレビ信号送信装置。」
を構成に欠くことの出来ない事項とする発明であると認められる。
２、刊行物発明
　これに対して、当審が拒絶の理由に引用した特開昭６３−２１５２７８号公報（以下「第１刊行物」という）には、
　その目的・効果として
　従来のディジタルＶＴＲでは、記録／再生の過程で生じるバーストエラーにより、１画面内の特定の領域にエラーが集中することを防止するために記録されるディジタルビデオ信号の順序をテレビジョン走査の順序と異ならせるシャフリングが採用される。従来の技術では最小限２個のフレームメモリが必要となる問題点があった。従って、この発明の目的は、シャフリング及びブロック化の両者を行う場合に、メモリ容量が低減できるビデオ信号の順序変換回路を提供する（第１頁右下欄末行〜第２頁左上欄第５行と第３頁左上欄第４〜９行及び第１０頁右下欄〔発明の効果〕の項から要約）するものであって、
　その目的・効果を達成するため、第１図〜第２８図とその詳細説明に関連して
　テレビジョン走査の順序を持つ入力ディジタルビデオ信号が１フィールドごとに交互に書き込まれると共に、上記書き込みと逆相で１フィールド毎にディジタルビデオ信号が読み出され、読み出しアドレスが制御されることにより１フィールドを分割してなる２次元領域の単位でデータの順序が上記走査の順序と異ならされた出力ディジタルビデオ信号を得るための第１及び第２のフィールドメモリと、
　上記第１及び第２のフィールドメモリからの読み出しデータが供給され、時間的に連続する複数フィールドに夫々属する上記２次元領域からなる３次元ブロック毎の順序の出力データを得るためのブロック化回路と
　からなるビデオ信号の順序変換回路（第１頁左下欄および第３頁左下欄から第４頁記載から要約）
の構成を有する発明（以下、第１刊行物発明という）が記載されているものと認める。
　なお、上記構成の作用として「シャフリング回路２は、フィールドメモリ７Ａ、７Ｂを有し、これらのフィールドメモリ７Ａ、７Ｂに対して入力ディジタルビデオ信号がスイッチ回路８を介して１フィールドごとに書き込まれる。また、フィールドメモリ７Ａ、７Ｂから交互に読み出された１フィールド分のデータがスイッチ回路９を介してブロック化回路３に供給される。スイッチ回路８とスイッチ回路９とは１フィールドごとに切換られると共に、逆相で動作する。例えば、１方のスイッチ回路８が端子ａ側に接続されるフィールドでは、他方のスイッチ回路９が端子ｂ側に接続される。
　フィールドメモリ７Ａ、７Ｂへのデータの書き込みまたはこれらのフィールドメモリ７Ａ、７Ｂからのデータの読み出しの際に、書き込みアドレスまたは読み出しアドレスの少なくとも一方がシャフリングのために制御される。一例としてフィールドメモリ７Ａ、７Ｂに対して入力ディジタルビデオ信号が入力の順序（即ち、テレビジョン走査の順序）で書き込まれ、フィールドメモリ７Ａ、７Ｂから入力と異なる順序でディジタルビデオ信号が読み出される」（第４頁左上欄第７行〜右上欄８行）の記載がある。
　同じく引用した江藤他２名共著「ディジタルビデオ記録技術」西暦１９９０年８月３１日初版第１刷日刊工業新聞社刊１４０−１４３頁（以下、第２刊行物という）の
「〔６〕外符号，内符号の構成」の項には、「Ｄ１，Ｄ２方式ともに、外符号、内符号と呼ばれる２種の誤り訂正符号を併用している。
　内符号、外符号を生成する過程で、実際には符号の順序を入れ替える走査がなされる。これをシャフリングと呼ぶ。シャフリングは、符号誤りの影響を分散させ、訂正能力を向上させたり、訂正されなかった誤りによる画質劣化を軽減したりする。
　これには、外符号を生成する前の１走査線分のシャフリングと、外符号を付加した後で内符号を生成する前の１セクタ内のシャフリングよりなる。」とシャフリングの解説があり、
（ａ）（ｂ）項目には、
（ａ）Ｄ１方式における外符号，内符号
「図５・６にＤＩ方式における外符号，内符号の形成の手順を示す。
　まず、Ｃｂ，Ｙ，Ｃｒ，Ｙの順に並んだ９０組、３６０画素の１走査線分の１チャンネルのデータは、１２×３０の小ブロックの中に４画素を単位として矢印の順に配置される。この小ブロックを５０個水平に並べた６００×３０のブロックが５０走査線、即ち１セグメントのデータに相当する。これに２ワードの外符号パリティを付加する。
　さらにセグメント内の列を１０分割した中ブロック（サブアレー）を考える。中ブロックの中で列及び行の入れ替えを行う。入れ替えの規則は中ブロックごとに異なる。これらの規則の詳細は省略するが、この結果セグメント内においてデータは、画素、外符号パリティともにほぼランダムに分散される。シャフリング後の中ブロックに含まれる６０画素毎に４ワードの内符号パリティを付加する。２つの内符号に〔７〕（ｂ），（ｃ）で述べるＩＤ、同期符号を付加してテープに記録する」との記載が「図５・６　ＤＩ方式における外符号，内符号」と共にある。
（ｂ）Ｄ２方式における外符号，内符号
「図５・７にＤ２方式における外符号、内符号の形成の手順を示す。
　３８４画素×８５画素走査線分の１セグメントのデータは、まず、走査線内で画素順序の入れ替えが行われる。この入れ替え規則は、走査線ごとに異なる。」
の技術思想（以下、第２刊行物発明という）が記載されているものと認められる。
３、対比
　以下に、第１刊行物発明と本願の請求項１に記載される構成と目的・効果とで特定される発明（以下、本願発明という）とを対比する。
　第１刊行物発明の第１・第２の「メモリ」・「読み出しアドレス」・「書き込み」・「読み出し」・「テレビジョン走査の順序を持つ入力ディジタルビデオ信号が１フィールドごとに交互に書き込まれる」・「読み出しアドレスが制御されることにより」と「データの順序が上記走査の順序と異ならされた」は、本願発明の「記憶手段」・「第２アドレス値」と「第２アドレス信号」・「書き込む」・「読み出す」・「第１アドレス値に従って、前記映像信号を前記記憶手段に書き込む」・「値」が「変化する第２アドレス値」からなる「第２アドレス信号」と「シャフル」に相当し、かつ第１刊行物発明の項で引用したシャフリング回路の作用の記載を斟酌すれば、２つのフィールドメモリに書き込みと読み出し走査をする動作として、テレビジョン走査の順序通りに書き込むメモリには読み出しを行わせず、入力と異なる順序即ちテレビジョン走査の順序とは異なる順序で読み出すメモリには書き込みを行わせないというアクセスをさせているので、第１刊行物発明には本願発明と同様に２つのメモリヘの書き込み読み出しは「排他的」にされているといえ、さらに第１刊行物発明の第１・第２のメモリヘの「書き込み」から本願発明の「第１アドレス値」と「第１アドレス信号」に相当するアドレス信号を発生させているものと認められることから、第１刊行物発明と本願発明では共に、
「映像信号の伝送時に混入するノイズの除去が前記映像信号の受信時に可能なように前記映像信号を送信するテレビ信号送信装置」において、
「前記映像信号を一時的に記憶する記憶手段」と、「値が順番に変化する第１アドレス値」からなる「第１アドレス信号」と、
「値」が「変化する第２アドレス値」からなる「第２アドレス信号」と、
「前記第１アドレス値に従って、前記映像信号を前記記憶手段に書き込む書込み手段」と、
「前記第２アドレス値に従って、前記書込み手段によって前記記憶手段に書き込まれた前記映像信号の各画素の並びに比し、前記映像信号」の「周期に対応」する「シャフル」が「なされるように、前記記憶手段に書き込まれた前記映像信号を読み出す読出し手段」と、
「前記記憶手段への書き込みと読み出しを排他的に実行するよう制御する制御手段」と、
「前記制御手段による制御によって、前記記憶手段より読み出された前記映像信号を出力する出力手段」とを有す
「テレビ信号送信装置」
の構成と目的・効果のおいても「ランダム化」の点を除いては同じであるものの、
▲１▼シャフルの周期とシャフルによる分散の仕方が、第１刊行物発明ではフィールド周期であり、且つシャフルによる分散の仕方の具体的な記載がないのに対して、本願発明は、「概ねランダム」に変化する第２アドレス信号を用いることで、前記映像信号の「水平同期信号」の周期に対応する「１ライン分の映像信号の各画素の並びに渡って画素単位」にシャフルが「擬似ランダム的」に前記映像信号を読み出す点及びこの点で第１刊行物発明には記載のない目的・効果の「ランダムに」という特徴を有する点、
▲２▼アドレス信号の生成について、第１刊行物発明にはその生成手段の構成記載がないのに対して、本願発明は、「クロックに同期」して、値が順番に変化する第１アドレス値を発生する「第１アドレス信号「発生手段」と、「クロックに同期」して、値が「概ねランダム」に変化する第２アドレス値を発生する第２アドレス信号「発生手段」という発生手段を有し、かつアドレス発生のタイミングとして「前記第１及び第２アドレス信号発生手段各々は、前記水平同期信号の周期で、発生する前記第１、第２アドレス値をリセットするとともに、前記１周期で前記第１アドレス信号発生手段が発生した値を全て、前記１周期で前記第２アドレス信号発生手段も発生」する点、
で構成・目的・効果が相違し、他の点での相違はないものと認める。
４、相違点に対する当審の判断
　第１相違点に対して
　第２刊行物の第１４０頁の〔６〕には「外符号を生成する前の１走査線分のシャフリングを行うこと」、（ａ）には「１走査線分の１チャネルのデータ」をシャフリングすることで「画素、外符号パリティとともにほぼランダムに分散される」こと、（ｂ）には「走査線内で画素の入れ替えが行われる。この入れ替え規則は、走査線ごとに異なる」との各記載があり、これら記載から判断して、第２刊行物発明には、〔６〕と（ｂ）の記載からシャフリングの周期を１走査線内で行う技術思想と、（ａ）の記載からシャフリングにおける分散結果として画素がほぼランダムに分散される技術思想の記載があるものと認められる。
　したがって、この第２刊行物発明の記載を考慮することで、テレビジョンのフィールド周期の走査順序で記憶したデータをテレビジョンの走査順序と異なる順序でデータを読み出すことによりシャフリングを行う第１刊行物発明においても、シャフリングの繰り返し周期をフィールド周期から水平同期周期に換え、かつシャフリングした結果画素がほぼランダムに分散するように、テレビジョンの走査順序で記憶した１走査線分の画素データを「概ねランダム」もしくは「疑似ランダム的」に読み出すことは、第２刊行物発明の記載から当業者が容易に想到し得たところと認める。
　第２相違点に対して
　第１刊行物発明には書き込みアドレスと読み出しアドレスを用いて、２つのメモリに書き込み・読み出しを行うことおよびフィールド周期で２つのメモリヘの書き込みと読み出しを排他的に行うことの記載があり、第１・第２アドレス信号を用いるためにはその信号の発生手段を必要とすることや、第１相違点の判断で述べたように第２刊行物発明に１走査線分のシャフリングを行うことの記載があることからして１走査線分のシャフリングを行う場合には、各アドレス信号のリセットや信号発生を水平同期信号の周期で行わなければならないことも明らかである。
　したがって、これらのことからして、本願発明のようにクロックに同期して各アドレス信号を発生させるアドレス発生手段や、水平同期信号の周期で各アドレス信号をリセットをかけ、且つ第１周期で第１アドレス信号発生手段が発生した値を全て、１周期で第２アドレス信号発生手段も発生するように同期付け処理を行う構成を採用することは、第１刊行物発明の２つのメモリを用いて交互に書き込み読み出しを行う際に当然に採用すべき構成でしかないと認められる。
５、意見書に対する検討
　請求人は、意見書で本願発明と刊行物発明との相違について上記相違点１に相当する点を指摘してその相違につて主張をしているが、上記「４、相違点に対する当審の判断」の項で述べたように、第２刊行物発明には、１走査線分のデータをシャフリングすることと、シャフリングの結果画素がほぼランダムに分散する事の記載がある以上、シャフリングを１走査線内でかつ概ねランダムもしくは疑似ランダム的に行うことは当業者が容易に想到し得たところと認められるので、意見書での主張を採用することは出来ない。
６、むすび
　したがって、本願発明は、当審が示した第１・２刊行物に記載された各発明に基づいて当業者が容易に発明をすることができたものと認められるので、特許法第２９条第２項の規定により特許をすることができない。
　よって結論のとおり審決する。